(57)【要約】【課題】  圧縮機や冷却器などを一体化した冷却ユニットを断熱箱体底部に取り付けるにあたり、断熱箱体側の加工を不要若しくは最低限とし、且つ、省スペース化も図れる冷却貯蔵庫を提供する。【解決手段】  上面に開口する冷却室内に冷却器及び送風機を収納して成る冷却箱２２と、圧縮機３３と、凝縮器３４等が取付台３２に設けられて一体化された冷却ユニットＲと、機械室の天井となる断熱箱体の底壁に形成され、貯蔵室内と機械室内とを連通する冷気吐出口及び冷気吸込口とを備え、冷却ユニットには、取付台より下方に突出して当該冷却ユニットを底壁方向に押し上げ、冷却箱を底壁に密着させて冷気吐出口及び冷気吸込口と冷却室内とを連通させる押上機構５５を設けた。【選択図】図２
2005337598.tif 000002
【特許請求の範囲】
【請求項１】
断熱箱体内に構成された貯蔵室の下方に機械室を構成して成る冷却貯蔵庫において、
上面に開口する冷却室内に冷却器及び送風機を収納して成る冷却箱と、圧縮機と、凝縮器等が取付台に設けられて一体化された冷却ユニットと、
前記機械室の天井となる前記断熱箱体の底壁に形成され、前記貯蔵室内と機械室内とを連通する冷気吐出口及び冷気吸込口とを備え、
前記冷却ユニットには、前記取付台より下方に突出して当該冷却ユニットを前記底壁方向に押し上げ、前記冷却箱を前記底壁に密着させて前記冷気吐出口及び冷気吸込口と前記冷却室内とを連通させる押上機構を設けたことを特徴とする冷却貯蔵庫。
【請求項２】
前記押上機構には、前記冷却箱を前記底壁に密着させた状態を保持する保持手段を設けたことを特徴とする請求項１の冷却貯蔵庫。
【請求項３】
前記押上機構は、前記取付台に設けられた支持部と、下部の回動軸にて前記支持部に回動自在に取り付けられ、前記取付台の両側部にそれぞれ位置する押上アームとを備え、
各押上アームは、前記回動軸からの半径が変化し、前記取付台より下方に突出するカム面を有すると共に、回動されて起立し、前記回動軸からの半径が大きくなる部分の前記カム面が前記回動軸直下となることで、前記冷却ユニットを押し上げることを特徴とする請求項１又は請求項２の冷却貯蔵庫。
【請求項４】
前記支持部には、前記回動軸を中心とした円弧状の案内溝が形成されると共に、前記押上アームには、前記案内溝に移動自在に係合した案内軸を設けたことを特徴とする請求項３の冷却貯蔵庫。
【請求項５】
前記案内溝の一端部には下方に向かう係合溝が連続して形成され、前記押上アームには起立状態で上下方向となる長孔が形成されて前記案内軸は当該長孔内に移動自在に係合されると共に、
前記押上アームが起立した状態で、前記案内軸は降下し、前記係合溝内に進入して係合することを特徴とする請求項４の冷却貯蔵庫。
【請求項６】
前記案内軸と前記案内溝との間の摩擦係数を大きくしたことを特徴とする請求項４又は請求項５の冷却貯蔵庫。
【請求項７】
前記押上アームは前記取付台の四隅部にそれぞれ位置すると共に、前後に位置する押上アームは連動用のリンクアームにて連結されていることを特徴とする請求項３、請求項４、請求項５又は請求項６の冷却貯蔵庫。
【請求項８】
前記取付台の両側に位置する前記押上アームを連動させるためのハンドルを備えたことを特徴とする請求項７の冷却貯蔵庫。
【請求項９】
前記案内溝の他端部には前記案内軸が進入可能な係止溝が上方に向かい連続して形成されると共に、前記案内軸は前記ハンドルの両端部に位置することを特徴とする請求項８の冷却貯蔵庫。
【請求項１０】
前記機械室には、前記押上アームを起立させるための回動方向に位置すると共に、前記冷却箱が前記冷気吐出口及び冷気吸込口に対応した状態で前記取付台が当接するストッパーを備えたことを特徴とする請求項３、請求項４、請求項５、請求項６、請求項７、請求項８又は請求項９の冷却貯蔵庫。
【請求項１１】
前記機械室の下部両側には、前記押上機構が当接し、前記取付台の横ズレを防止するレールを備えたことを特徴とする請求項１、請求項２、請求項３、請求項４、請求項５、請求項６、請求項７、請求項８、請求項９又は請求項１０の冷却貯蔵庫。
【請求項１２】
前記冷却箱を前記凝縮器に支持させたことを特徴とする請求項１、請求項２、請求項３、請求項４、請求項５、請求項６、請求項７、請求項８、請求項９、請求項１０又は請求項１１の冷却貯蔵庫。
【請求項１３】
前記取付台の端部には、前記凝縮器に通風するための凝縮器用送風機を設け、該凝縮器用送風機には通気性のファンカバーを取り付けたことを特徴とする請求項１、請求項２、請求項３、請求項４、請求項５、請求項６、請求項７、請求項８、請求項９、請求項１０、請求項１１又は請求項１２の冷却貯蔵庫。
【発明の詳細な説明】
【技術分野】
【０００１】
本発明は、圧縮機や冷却器から構成された冷却ユニットが、内部に貯蔵室を構成する断熱箱体の下方に組み込まれた冷却貯蔵庫に関するものである。
【背景技術】
【０００２】
従来より低温ショーケースとして使用されるこの種冷却貯蔵庫は、断熱箱体内に構成された貯蔵室の下方に機械室を構成し、断熱箱体の底壁には、機械室内と連通する冷気吐出口及び冷気吸込口が形成される。機械室には、上面に開口を有する冷却箱が断熱箱体の底壁に当接して設けられると共に、この冷却箱内には冷却ユニットを構成する冷却器と冷却器用送風機が配設される。そして、冷気吸込口及び冷気吐出口を介して貯蔵室内と冷却箱は連通される。また、機械室の冷却箱の下側には、底面に移動用のキャスターを備えた取付台上に前記冷却器と共に冷却ユニットを構成する圧縮機や凝縮器、凝縮器用送風機などが設置され、周知の冷媒回路を構成する。
【０００３】
また、冷却箱は、取付台上部に設けられ、断熱箱体の底壁とは着脱自在とされている。冷却箱と冷却器、冷却器用送風機、及び、圧縮機や凝縮器などはキャスターを利用して取付台ごと機械室内に納出自在とされ、冷却ユニットは断熱箱体から分離可能とされている（特許文献１参照。）。
【特許文献１】特開２０００−１０５０５８号公報
【発明の開示】
【発明が解決しようとする課題】
【０００４】
しかしながら、上述した如き従来の構成では、冷却箱の上面開口と冷気吐出口及び冷気吸込口との間に生じる隙間から冷気の漏洩が生じるため、取付台を機械室内に収納した後、冷却器及び冷却器用送風機が配設された冷却箱を持ち上げ断熱箱体の底壁に固定具などにより固定しなければならなかった。そのため、冷却ユニットの取付作業性が煩雑となる問題がある。また、このとき冷却箱は、断熱箱体の底壁に形成された冷気吸込口及び冷気吐出口に対応する位置に固定しなければならず、位置決めが困難となり更なる作業性の悪化を招く問題があった。
【０００５】
そこで、従来では、断熱箱体の底壁下面に吊下レールを設けると共に、取付台に固定された冷却箱の側面に支持レールを設け、当該支持レールを吊下レールに吊り下げた状態で、冷却ユニットを断熱箱体の底壁側に持ち上げる機構が開発されている。しかしながら、このような機構では、各機種の寸法に応じて断熱箱体の底壁側に吊下レールなどの大がかりな構造を追加しなければならず、汎用性が低下してコストの高騰を招くと共に、機械室内のスペースを確保する面でも問題が生じていた。
【０００６】
本発明は、係る従来の技術的課題を解決するために成されたものであり、圧縮機や冷却器などを一体化した冷却ユニットを断熱箱体底部に取り付けるにあたり、断熱箱体側の加工を不要若しくは最低限とし、且つ、省スペース化も図れる冷却貯蔵庫を提供することを目的とする。
【課題を解決するための手段】
【０００７】
本発明の冷却貯蔵庫は、断熱箱体内に構成された貯蔵室の下方に機械室を構成して成るものであって、上面に開口する冷却室内に冷却器及び送風機を収納して成る冷却箱と、圧縮機と、凝縮器等が取付台に設けられて一体化された冷却ユニットと、機械室の天井となる断熱箱体の底壁に形成され、貯蔵室内と機械室内とを連通する冷気吐出口及び冷気吸込口とを備え、冷却ユニットには、取付台より下方に突出して当該冷却ユニットを底壁方向に押し上げ、冷却箱を底壁に密着させて冷気吐出口及び冷気吸込口と冷却室内とを連通させる押上機構を設けたものである。
【０００８】
請求項２の発明の冷却貯蔵庫は、上記発明において、押上機構には、冷却箱を底壁に密着させた状態を保持する保持手段を設けたものである。
【０００９】
請求項３の発明の冷却貯蔵庫は、上記各発明において、押上機構は、取付台に設けられた支持部と、下部の回動軸にて支持部に回動自在に取り付けられ、取付台の両側部にそれぞれ位置する押上アームとを備え、各押上アームは、回動軸からの半径が変化し、取付台より下方に突出するカム面を有すると共に、回動されて起立し、回動軸からの半径が大きくなる部分のカム面が回動軸直下となることで、冷却ユニットを押し上げるものである。
【００１０】
請求項４の発明の冷却貯蔵庫は、上記発明において、支持部には、回動軸を中心とした円弧状の案内溝が形成されると共に、押上アームには、案内溝に移動自在に係合した案内軸を設けたものである。
【００１１】
請求項５の発明の冷却貯蔵庫は、上記発明において、案内溝の一端部には下方に向かう係合溝が連続して形成され、押上アームには起立状態で上下方向となる長孔が形成されて案内軸は当該長孔内に移動自在に係合されると共に、押上アームが起立した状態で、案内軸は降下し、係合溝内に進入して係合するものである。
【００１２】
請求項６の発明の冷却貯蔵庫は、請求項４又は請求項５の発明において、案内軸と案内溝との間の摩擦係数を大きくしたものである。
【００１３】
請求項７の発明の冷却貯蔵庫は、請求項３、請求項４、請求項５又は請求項６の発明において、押上アームは取付台の四隅部にそれぞれ位置すると共に、前後に位置する押上アームは連動用のリンクアームにて連結されているものである。
【００１４】
請求項８の発明の冷却貯蔵庫は、上記発明において、取付台の両側に位置する押上アームを連動させるためのハンドルを備えたものである。
【００１５】
請求項９の発明の冷却貯蔵庫は、上記発明において、案内溝の他端部には案内軸が進入可能な係止溝が上方に向かい連続して形成されると共に、案内軸はハンドルの両端部に位置するものである。
【００１６】
請求項１０の発明の冷却貯蔵庫は、請求項３、請求項４、請求項５、請求項６、請求項７、請求項８又は請求項９の発明において、機械室には、押上アームを起立させるための回動方向に位置すると共に、冷却箱が冷気吐出口及び冷気吸込口に対応した状態で取付台が当接するストッパーを備えたものである。
【００１７】
請求項１１の発明の冷却貯蔵庫は、上記各発明において、機械室の下部両側には、押上機構が当接し、取付台の横ズレを防止するレールを備えたものである。
【００１８】
請求項１２の発明の冷却貯蔵庫は、上記各発明において、冷却箱を凝縮器に支持させたものである。
【００１９】
請求項１３の発明の冷却貯蔵庫は、上記各発明において、取付台の端部には、凝縮器に通風するための凝縮器用送風機を設け、該凝縮器用送風機には通気性のファンカバーを取り付けたものである。
【発明の効果】
【００２０】
本発明によれば、断熱箱体内に構成された貯蔵室の下方に機械室を構成して成る冷却貯蔵庫において、上面に開口する冷却室内に冷却器及び送風機を収納して成る冷却箱と、圧縮機と、凝縮器等が取付台に設けられて一体化された冷却ユニットと、機械室の天井となる断熱箱体の底壁に形成され、貯蔵室内と機械室内とを連通する冷気吐出口及び冷気吸込口とを備え、冷却ユニットには、取付台より下方に突出して当該冷却ユニットを底壁方向に押し上げ、冷却箱を底壁に密着させて冷気吐出口及び冷気吸込口と冷却室内とを連通させる押上機構を設けたので、圧縮機や凝縮器、冷却箱等が一体化された冷却ユニットを、断熱箱体の底壁に支障無く取り付け、冷却器と熱交換した冷気を送風機により冷気吐出口から貯蔵室内に吐出し、冷気吸込口から冷却室内に吸い込む冷気循環を構成して、貯蔵室内を冷却することができるようになる。
【００２１】
特に、この場合押上機構は取付台より下方に突出して当該冷却ユニットを底壁方向に押し上げ、冷却箱を底壁に密着させるので、断熱箱体側の加工を不要若しくは最低限とすることができ、規格の統一を図ることが可能となると共に、省スペース化も実現することができるようになる。
【００２２】
また、請求項２の発明によれば、上記発明において、押上機構には、冷却箱を底壁に密着させた状態を保持する保持手段を設けたので、断熱箱体に対して冷却箱を安定的に密着・保持することができるようになる。また、保持手段により冷却ユニットを安定させることで、当該冷却ユニットが落下する不都合を未然に防止することができるようになる。
【００２３】
また、請求項３の発明によれば、上記各発明において、押上機構は、取付台に設けられた支持部と、下部の回動軸にて支持部に回動自在に取り付けられ、取付台の両側部にそれぞれ位置する押上アームとを備え、各押上アームは、回動軸からの半径が変化し、取付台より下方に突出するカム面を有すると共に、回動されて起立し、回動軸からの半径が大きくなる部分のカム面が回動軸直下となることで、冷却ユニットを押し上げるようにしたので、押上アームのカム面の回転に伴い、テコの原理を利用して重量の嵩張る冷却ユニットを簡素な構造にて容易且つ確実に押し上げることができるようになる。
【００２４】
また、請求項４の発明によれば、上記発明において、支持部には、回動軸を中心とした円弧状の案内溝が形成されると共に、押上アームには、案内溝に移動自在に係合した案内軸を設けたので、押上アームによる冷却ユニットの押上動作を安定化させることができるようになる。
【００２５】
また、請求項５の発明によれば、上記発明において、案内溝の一端部には下方に向かう係合溝が連続して形成され、押上アームには起立状態で上下方向となる長孔が形成されて案内軸は当該長孔内に移動自在に係合されると共に、押上アームが起立した状態で、案内軸は降下し、係合溝内に進入して係合するようにしたので、押上アームが起立し、冷却ユニットが押し上げられた状態で、案内軸が係合溝に係合されることで、押上アームの回動を規制し、安定的に冷却箱を断熱箱体側に密着・保持することができるようになる。また、案内軸が係合溝に係合されている状態では、押上アームの回動が規制されることから、冷却ユニットが落下する不都合を未然に防止することができるようになる。
【００２６】
また、請求項６の発明によれば、請求項４又は請求項５の発明において、案内軸と案内溝との間の摩擦係数を大きくしたので、案内軸が案内溝内を急に移動できなくなるため、冷却ユニットの急落下を防止することができるようになる。
【００２７】
また、請求項７の発明によれば、請求項３、請求項４、請求項５又は請求項６の発明に加えて、押上アームは取付台の四隅部にそれぞれ位置すると共に、前後に位置する押上アームは連動用のリンクアームにて連結されているので、前後に位置する押上アームをリンクアームにて連動させ、四隅にて冷却ユニットを円滑、且つ、安定的に押し上げることができると共に、操作性の向上も図ることができるようになる。
【００２８】
また、請求項８の発明によれば、上記発明に加えて、取付台の両側に位置する押上アームを連動させるためのハンドルを備えたので、ハンドルを操作することで、冷却ユニットの四隅を略同時に持ち上げることができるようになる。また、ハンドルが設けられることにより、冷却ユニット単体での持ち運びも容易となる。
【００２９】
また、請求項９の発明によれば、上記発明に加えて、案内溝の他端部には案内軸が進入可能な係止溝が上方に向かい連続して形成されると共に、案内軸はハンドルの両端部に位置するため、ハンドルの両端部を係止溝にて固定することができるようになり、冷却ユニットを持ち運ぶときにハンドルを安定させることができるようになる。
【００３０】
また、請求項１０の発明によれば、請求項３、請求項４、請求項５、請求項６、請求項７、請求項８又は請求項９の発明に加えて、機械室には、押上アームを起立させるための回動方向に位置すると共に、冷却箱が冷気吐出口及び冷気吸込口に対応した状態で取付台が当接するストッパーを設けたので、取付台をストッパーに当てて押上アームを回動させることができるようになり、冷却ユニットを持ち上げる作業がより一層容易となる。また、取付台をストッパーに当てることで、容易に冷却箱の位置決めを行うことができるようになる。
【００３１】
また、請求項１１の発明によれば、上記各発明に加えて、機械室の下部両側には、押上機構が当接し、取付台の横ズレを防止するレールを備えたので、冷却ユニットの左右への位置ズレも防止若しくは最小限に抑えることができるようになる。
【００３２】
また、請求項１２の発明によれば、上記各発明に加えて、冷却箱を凝縮器に支持させたので、凝縮器が冷却箱の支持部材を兼ねることになり、コストの削減を図ることができる。
【００３３】
また、請求項１３の発明によれば、上記各発明に加えて、取付台の端部には、凝縮器に通風するための凝縮器用送風機を設けたので、凝縮器用送風機の交換が容易となる。また、この凝縮器用送風機には通気性のファンカバーを取り付けたので、ファンカバーによって凝縮器の目詰まりを防止することができる。また、ファンカバーにより、怪我を防止することができるようになる。
【発明を実施するための最良の形態】
【００３４】
このように本発明は、従来の技術的課題を解決するために成されたものであり、圧縮機や凝縮器、冷却箱等が一体化された冷却ユニットを簡素な構成にて断熱箱体の底壁に支障なく取り付け、冷却器と熱交換した冷気を送風機により冷気吐出口から貯蔵室内に吐出し、冷気吸込口から冷却室内に吸い込む冷気循環を構成して、貯蔵室内を冷却することができる冷却貯蔵庫を提供する。以下、図面に基づき本発明の実施形態を詳述する。
【実施例１】
【００３５】
図１は本発明を適用した冷却貯蔵庫１の正面図、図２は本発明の一実施例の冷却ユニットＲの透視側面図、図３は同冷却ユニットＲの平面図、図４は冷却貯蔵庫１の機械室２１部分の平断面図である。この実施例の冷却貯蔵庫１は、前面に開口する矩形状の断熱箱体２により本体が構成されている。この断熱箱体２は、前面に開口を有した鋼板製の外箱３と、前面に開口を有する図示しない内箱と、これら内外両箱間に発泡充填された断熱材とから構成されている。そして、断熱箱体２内には、前面に開口する貯蔵室６が形成され、当該貯蔵室６の前面開口は、内部を透視可能なガラス扉７により開閉自在に閉塞されている。また、貯蔵室６には棚受け９に食品等を載置するための複数段の棚１１・・が架設されている。
【００３６】
断熱箱体２の下部両側には、所定厚みの鋼板から成る台脚アングル１２が取り付けられており、当該台脚アングル１２の両側は、断熱箱体２を構成する外箱３にて被覆されている。これにより、断熱箱体２の下方に機械室２１が形成され、台脚アングル１２はこの機械室２１の両側底部及び両側前後を縁取るかたちとなる。尚、この機械室２１底部を構成する両側の各台脚アングル１２の下辺１２Ａには、レール６２、６２が前後にそれぞれ取り付けられている。また、３６は機械室２１の前面を開閉自在に閉塞するカバーであり、３７は通気口である。
【００３７】
また、断熱箱体２の底壁には、断熱材を貫通するかたちで冷気吸込口１９及び冷気吐出口２０（図３に網掛けして示す）が前後にそれぞれ形成されている。そして、これら冷気吸込口１９、冷気吐出口２０下方の機械室２１内には、冷却箱２２内の冷却器２４及び冷却器用送風機２５、圧縮機３３や凝縮器３４、凝縮器用送風機３５などが一体として構成された冷却ユニットＲが前方から挿入されて取り付けられる。この場合、機械室２１の天井となる断熱箱体２の底壁下面には、上面に開口を有する前記冷却箱２２が当接して設けられる。この冷却箱２２内部には上面に開口する冷却室２３が形成され、この冷却室２３内に冷却装置の冷媒回路を構成する冷却器２４が配設されると共に、その後側には冷却器用送風機２５が配設される。
【００３８】
尚、この冷却箱２２の上面開口には、冷却箱２２側の冷気吸込口２７及び冷気吐出口２８が前後に形成されている。これら冷気吸込口２７及び冷気吐出口２８は、それぞれ断熱箱体２の底壁に形成された前記冷気吸込口１９及び冷気吐出口２０に対応するように設けられている。また、この冷却箱２２開口縁には、断熱箱体２の底壁下面と密着して当接するためのシール材２９が取り付けられている。尚、この冷却箱２２の上面を断熱箱体２の底壁下面に密着して固定する機構についての詳細は後述する。
【００３９】
一方、３２は冷却ユニットＲの底部を構成する取付台であり、この取付台３２の前端部向かって左側には前記冷却器２４と共に冷却装置の冷媒回路を構成する圧縮機３３が設置され、その右側には凝縮器３４が設置されると共に、当該凝縮器３４の前側である取付台３２の向かって右側前端部には凝縮器３４に通風するための凝縮器用送風機３５が設置されている。また、取付台３２の後部には蒸発皿１３や蒸発パイプ１４が取り付けられると共に、図示しないコントロールボックスなども設けられる。
【００４０】
ここで、冷却箱２２内の冷却器２４は取付台３２上の圧縮機３３や凝縮器３４などと冷媒配管にて接続され、周知の冷媒回路を構成している。また、冷却箱２２は蒸発皿１３の上側に位置し、その後部両側は冷却箱支持具３８によって取付台３２に取り付けられると共に、その前端部は凝縮器３４に載置されて支持固定されている。そして、このような冷却箱２２（冷却器２４及び冷却器用送風機２５を内蔵する）、及び、圧縮機３３、凝縮器３４、凝縮器用送風機３５などが取付台３２上に設置されて一体化された冷却ユニットＲは、カバー３６を開けて前方より機械室２１内に収納し、また、機械室２１から前方に引き出し可能とされている。
【００４１】
冷却ユニットＲが機械室２１内に収納された状態で凝縮器用送風機３５は機械室２１の前端部に位置することになる。これにより、凝縮器用送風機３５の交換などのメンテナンスが容易となる。また、この凝縮器用送風機３５の前面には通気性のファンカバー１６が取り付けられている。これにより、凝縮器３４の目詰まりを防止することができると共に、このファンカバー１６により、怪我も防止することができるようになる。
【００４２】
次に、図２乃至図９を参照して、上述した如き冷却ユニットＲの断熱箱体２底壁下面への密着固定機構について説明する。図５は冷却ユニットＲの分解斜視図である。冷却ユニットＲの断熱箱体２底壁下面への密着固定機構は押上機構５５から構成される。本実施例において押上機構５５は、取付台３２両側の前後（即ち、取付台３２の四隅部）に２つずつ、計４つ取り付けられた押上アーム５６・・・と、両側において前後に位置する押上アーム５６、５６を連動して回動させるためのリンクアーム５７などから構成される。この押上アーム５６は、所定の長さ寸法を有する厚肉鋼板から成るアーム部材である。一方、取付台３２の両側における前後（即ち、取付台３２の四隅部）には支持部３０・・・がそれぞれ起立形成されている。各押上アーム５６は各支持部３０の外側にそれぞれ位置し、その前側下部を回動軸３１によって回動自在に枢支されている。
【００４３】
また、各押上アーム５６の下端前隅部には円弧状のカム面５６Ｂが形成されている。このカム面５６Ｂは、当該押上アーム５６が回動軸３１を中心に図２中時計回りに回動されるに従い、回動軸３１からの半径が大きくなるように形成されている。そのため、図６及び図７に示すように各押上アーム５６の上部が前方に傾倒した状態では、カム面５６Ｂは図２に示すように取付台３２の下面より上側に格納されており、回動軸３１を中心として図２中時計回りに回動させて図８及び図９に示すように各押上アーム５６を起立させ、回動軸３１からの半径が最も大きくなるカム面５６Ｂが回動軸３１の直下となると、半径の増加分押上アーム５６のカム面５６Ｂは取付台３２よりも下方に突出する。この押上アーム５６の突出によって後述するように冷却ユニットＲは断熱箱体２の底壁側へ持ち上げられることになる。
【００４４】
また、各支持部３０には回動軸３１を中心とした円弧状の案内溝４０がそれぞれ貫通形成されている。特に、前両側の支持部３０、３０に形成された案内溝４０の後端部には、回動軸３１の真上において垂直下方に向かう係合溝４０Ａ（保持手段を構成する）が連続して形成されている。一方、押上アーム５６には起立状態で回動軸３１の真上となる位置に貫通孔４１が形成されると共に、特に前両側となる押上アーム５６、５６の貫通孔４１は、起立状態で上下方向となる長孔（保持手段を構成する）とされている。そして、この貫通孔４１には溝付きビスから成る案内軸４５（保持手段を構成する）が挿入係合され、この案内軸４５は前記案内溝４０（係合溝４０Ａを含む）に移動自在に係合する。また、案内軸４５は長孔から成る前側の押上アーム５６の貫通孔４１には移動自在に係合するが、円弧状の案内溝４０との間の摩擦係数は大きく設定されている。
【００４５】
また、リンクアーム５７は前後の押上アーム５６、５６に対して回動自在に連結されており、両押上アーム５６、５６の回動角度が同一となる長さ寸法を有している。前後の押上アーム５６、５６は、リンクアーム５７にて連結されることから、前方の押上アーム５６を操作することで、後方の押上アーム５６を連動させて円滑に操作することが可能となる。
【００４６】
次に、冷却ユニットＲの機械室２１内への収納及び断熱箱体２側への押上動作について説明する。先ず、図２や図６に示す如く各押上アーム５６・・の上部が前方に傾倒した状態で冷却ユニットＲを機械室２１内に前方から挿入する。このとき、取付台３２は台脚アングル１２の下辺１２Ａのレール６２・・・上に乗り上げるように挿入される。このレール６２・・・によって取付台３２の左右への位置ズレ（横ズレ）は防止若しくは抑制される。また、下辺１２Ａ、１２Ａの後部（押上アーム５６を起立させるために回動させる方向）にはストッパー５１、５１が起立形成されており、所定の位置まで取付台３２を挿入した時点でその後端はストッパー５１、５１に当接して停止する。
【００４７】
この時点で、冷却箱２２の冷気吸込口２７及び冷気吐出口２８は、それぞれ断熱箱体２の底壁に形成された前記冷気吸込口１９及び冷気吐出口２０の下側に対応するので、これによって、取付台３２は位置決めされる。また、押上アーム５６・・・は各レール６２・・・上に位置している。
【００４８】
次に、前両側の押上アーム５６、５６の上部を後方に押して図２中時計回りに回動させる。このとき、取付台３２はストッパー５１に当たっているので取付台３２の後方への位置ズレは生じない。また、リンクアーム５７によって後部の押上アーム５６、５６も連動して回動するので、四隅の押上アーム５６・・・は略同時に回動し、カム面５６Ｂが取付台３２より下方に突出してレール６２に当接する。そして、更に回動させていくとカム面５６Ｂの突出量の増大に伴ってテコの原理で冷却ユニットＲは四隅を持ち上げられ、比較的小さい力で円滑に平行状態のまま上昇していき、やがて各押上アーム５６・・・が起立状態となった時点で押上は終了する（図８、図９）。
【００４９】
この時点でシール材２９は断熱箱体２の底壁下面に密着して押し付けられ、冷却箱２２の冷気吸込口２７及び冷気吐出口２８はそれぞれ断熱箱体２の底壁に形成された前記冷気吸込口１９及び冷気吐出口２０に連通する。これにより、圧縮機３３や凝縮器３４、冷却箱２２などが一体化された冷却ユニットＲを断熱箱体２の底壁に支障なく取り付け、冷却器２４と熱交換した冷気を冷却器用送風機２５により冷気吐出口２０から貯蔵室６内に吐出し、冷気吸込口１９から冷却室２３内に吸い込む冷気循環を構成して、貯蔵室６内を冷却することができるようになる。
【００５０】
特に、この場合押上機構５５の押上アーム５６・・・は取付台３２より下方に突出して冷却ユニットＲを断熱箱体２の底壁方向に押し上げ、冷却箱２２を底壁に密着させるので、断熱箱体２の底壁にレールなどの加工を不要とすることができるようになる。これにより、規格の統一を図ることが可能となると共に、断熱箱体２側にレールなどが無いために省スペース化も実現することができるようになる。
【００５１】
また、案内軸４５は案内溝４０内を移動するので、係る押上アーム５６の回動も安定的に行われる。特に、押上アーム５６が起立した状態で長孔である前側の押上アーム５６の貫通孔４１は、案内溝４０の係合溝４０Ａに合致する。これにより、前側の押上アーム５６の案内軸４５は図９に示すように降下し、係合溝４０Ａ内に係合するので、その状態で押上アーム５６は回動できなくなる。従って、冷却ユニットＲは安定的に押し上げられた状態を保持され、不用意に押上アーム５６が回動して落下してしまう不都合も防止される。
【００５２】
尚、メンテナンスのために冷却ユニットＲを断熱箱体２から取り外す際には、係合溝４０Ａに係合している案内軸４５を持ち上げて押上アーム５６が回動できるようにし、次に、押上アーム５６を図８中反時計回りに回動させることで、冷却ユニットＲは図６に示すように降下し、断熱箱体２の底壁から離れる。この場合も、前述の如く案内溝４０と案内軸４５の間の摩擦係数は大きくしているので、押上アーム５６が急に回動して冷却ユニットＲが急落下する不都合も防止される。
【実施例２】
【００５３】
次に、図１０乃至図１４は本発明のもう一つの実施例を示している。この場合、冷却ユニットＲには、前両側の押上アーム５６、５６を連動させるためのハンドル５８を備えている。このハンドル５８は図１０に示すように全体としては略門型を呈しており、その両端面に案内溝４０を通過した前記両案内軸４５、４５の先端が螺合して固定され、ハンドル５８自体は圧縮機３３の前方に配置される。また、前両側の支持部３０の案内溝４０前端には、係止溝４０Ｂが斜め前上方に向けて連続して形成されており、この係止溝４０Ｂ内にも案内軸４５は移動自在に係合可能とされている。その他の構造は図１乃至図９と同様である。
【００５４】
このように、前両側の案内軸４５、４５をハンドル５８の両端に固定することで、ハンドル５８を持って後方に押し込み、前両側の押上アーム５６、５６を図１１、図１２中時計回りに回動させることにより、冷却ユニットＲはその四隅が略同時に持ち上げられるようになる。また、ハンドル５８の先端を持ち上げて案内軸４５を係合溝４０Ａから出し、ハンドル５８を引くことで前両側の押上アーム５６、５６は図１３、図１４中反時計回りに回動するので、冷却ユニットＲはその四隅が同時に降下することになるので操作性は著しく向上する。
【００５５】
また、冷却ユニットＲ単体を持ち運ぶ際には、ハンドル５８を持って吊り下げて持ち運ぶことができる。その場合、案内軸４５は案内溝４０前端の係止溝４０Ｂ内に進入して係合するので、ハンドル５８の両端部は係止溝４０Ｂに固定される。これにより、冷却ユニットＲを持ち運ぶときにハンドル５８を安定させることができるようになる。
【図面の簡単な説明】
【００５６】
【図１】本発明を適用した冷却貯蔵庫の斜視図である。
【図２】図１の冷却貯蔵庫の冷却ユニットの透視側面図である。
【図３】同冷却ユニットの平面図である。
【図４】図１の冷却貯蔵庫の機械室の平断面図である。
【図５】図２の冷却ユニットの分解斜視図である。
【図６】図２の冷却ユニットが降下した状態の側面図である。
【図７】図２の冷却ユニットの押上機構の押上アームが傾倒した状態の側面図である。
【図８】図２の冷却ユニットが上昇した状態の側面図である。
【図９】図２の冷却ユニットの押上機構の押上アームが起立した状態の側面図である。
【図１０】本発明の冷却貯蔵庫の他の実施例の冷却ユニットの分解斜視図である。
【図１１】図１０の冷却ユニットが降下した状態の側面図である。
【図１２】図１０の冷却ユニットの押上機構の押上アームが傾倒した状態の側面図である。
【図１３】図１０の冷却ユニットが上昇した状態の側面図である。
【図１４】図１０の冷却ユニットの押上機構の押上アームが起立した状態の側面図である。
【符号の説明】
【００５７】
Ｒ  冷却ユニット
１  冷却貯蔵庫
２  断熱箱体
６  貯蔵室
１６  ファンカバー
１９  冷気吸込口
２０  冷気吐出口
２１  機械室
２２  冷却箱
２３  冷却室
２４  冷却器
２５  冷却器用送風機
３０  支持部
３１  回動軸
３３  圧縮機
３４  凝縮器
３５  凝縮器用送風機
４０  案内溝
４０Ａ  係合溝
４０Ｂ  係止溝
４１  貫通孔
４５  案内軸
５１  ストッパー
５５  押上機構
５６  押上アーム
５６Ｂ  カム面
５７  リンクアーム
５８  ハンドル
６２  レール
【図１】
2005337598.tif 000003
【図２】
2005337598.tif 000004
【図３】
2005337598.tif 000005
【図４】
2005337598.tif 000006
【図５】
2005337598.tif 000007
【図６】
2005337598.tif 000008
【図７】
2005337598.tif 000009
【図８】
2005337598.tif 000010
【図９】
2005337598.tif 000011
【図１０】
2005337598.tif 000012
【図１１】
2005337598.tif 000013
【図１２】
2005337598.tif 000014
【図１３】
2005337598.tif 000015
【図１４】
2005337598.tif 000016